(57)【要約】      （修正有）【課題】表面材の風合いを改善し、クッション性と同時に着用時における吸収体の変形に応じて変形し、皮膚の改善をすることが可能な吸収性物品を提供する。【解決手段】液透過性の表面材４と、液不透過性のバックシートと、表面材とバックシートの間に配置される吸収体とを備えた吸収性物品において、表面材には、吸収性本体の長手方向に沿って、長さ５０ｍｍ以下の緩やかな曲線の組合せ集合体からなるフィットエンボス１１０を備えたことを特徴とする。【選択図】図１
2013128668.tif 000002
【特許請求の範囲】
【請求項１】
液透過性の表面材と、液不透過性のバックシートと、前記表面材と前記バックシートの間に配置される吸収体とを備えた吸収性物品において、前記表面材には、吸収性物品の長手方向に沿う流れ模様のエンボスを備えたことを特徴とする吸収性物品。
【請求項２】
前記流れ模様のエンボスが長さ１０ｍｍ以上、４０ｍｍ以下、幅1ｍｍ以上、４ｍｍ以下のの緩やかな溝又は／及び隆起した曲線の組合せ集合体であり、該組合せ集合体を構成する緩やかな曲線間の相互間隔が１ｍｍ以上、５ｍｍ以下であることを特徴とする請求項１に記載の吸収性物品。
【請求項３】
液透過性の表面材と、液不透過性のバックシートと、前記表面材と前記バックシートの間に配置される吸収体とを備えた吸収性物品において、表面材と吸収体の間には、不織布からなる二次シートを有しており、前記表面材と二次シートとは、前記流れ模様のエンボスにより接合されていることを特徴とする請求項２に記載の吸収性物品。
【請求項４】
液透過性の表面材と、液不透過性のバックシートと、前記表面材と前記バックシートの間に配置される吸収体とを備えた吸収性物品において、さらに吸収体にも流れ模様のエンボスを備えたことを特徴とする請求項２に記載の吸収性物品。
【請求項５】
前記流れ模様のエンボスの少なくとも一端に表面シートを貫通する開口が施されていることを特徴とする請求項２に記載の吸収性物品。
【発明の詳細な説明】
【技術分野】
【０００１】
この発明は、使い捨ての吸収性物品の着用感及び吸収性の改善に関する。
【背景技術】
【０００２】
従来、幼児や成人の尿、便などの排せつ物を吸収するため、パンツ型やテープ止めタイプ、パッドタイプ、衛生用ナプキン等様々な吸収性物品が使用されている。これは、肌に接する表面材と液不透過性防漏材及び、これらの間の吸収体を基本構成として、さらに漏れ防止のための立体ギャザーや締結手段などからなる。また表面材と吸収体の間には、吸収体への液の透過や拡散を改善する不織布からなる二次シートが用いられたものもある。
このうち表面材には膚への刺激が小さいことは勿論のこと、単体あるいは二次シートと協同して、排泄物を速やかに吸収体へ移行させ、吸収体に吸収させるための液透過性や、一度吸収体に吸収した液を肌側に戻さない濡れ戻り防止性、さらに製品によっては、吸収体中に吸収、拡散した液の色への遮蔽性も要求される。これらの要求特性に対して嵩高不織布やこれに凹凸や開口を有するものが使用されている。表面の凹凸により、吸液時に着用者の皮膚の密着を低減させて、ベタつき感を解消することや、密度差による吸液性の改善が期待できる。
【０００３】
さらに、格子状や波線状の連続エンボス加工を施すものもあるが、エンボスの長手方向に沿液が拡散する効果が期待できる。また、不織布外観の美粧性を改善するために図柄等のエンボスパターンを施すものもある。
【先行技術文献】
【特許文献】
【０００４】
【特許文献１】特開２０１０−２７９６０４号公報
【特許文献２】特開２００４−２９８４８５号公報
【特許文献３】特開平０６−３１９７６９号公報
【発明の概要】
【発明が解決しようとする課題】
【０００５】
しかし、ドット状のエンボスの場合には、吸液性の改善効果を得るためには、エンボス密度（面積比）を高くすることが必要となり、その結果、不織布の柔軟性、クッション性が損なわれることがあった。また、嵩高な不織布の場合には、着用時に吸収体の変形にあわせて大きなシワが入りやすくなるなどの不具合が生じることがあった。
【０００６】
さらに、格子状や波線状の連続エンボス加工では、エンボスの長手方向に沿液が拡散するため大量の排尿時などにエンボスに沿って液が移動する結果、前後漏れなどが起きることがある。さらに、規則的なエンボス配置の場合には、着用時にエンボス同士の交差点や曲線の変曲点の形状に由来する周期的なシートの変形（規則的あるいは部分的な変形）が生じ、これにより体へのフィット性（なじみ）が損なわれ、また、皮膚への刺激が生じることがあった。また、不織布の外観における美粧性を改善するために図柄等のエンボスパターンにおいても、新たな外観、風合いをもたらすものではなかった。
【０００７】
本発明は、表面材の風合いを改善し、目付が高く厚い不織布を用いた場合にも、クッション性と同時に着用時における特に巾方向への圧縮による吸収体の変形に応じて、各流れ模様エンボスに沿って変形し、大きなシワの発生が生じにくい。また、肌との密着を適度に低減することにより皮膚の改善することが可能となる。また、薄型の吸収体においては、吸収体全体に柔軟性を付与することができ、体の動きに合せた変形の自在性が向上し、より装着性に優れたものが得られる。
【課題を解決するための手段】
【０００８】
上記課題を解決するため、本発明の吸収性物品は、液透過性の表面材と、液不透過性のバックシートと、表面材とバックシートの間に配置される吸収体とを備えた吸収性物品において、表面材には、吸収性本体の長手方向に沿う流れ模様のエンボスを備えたことを特徴とする。
【０００９】
前記流れ模様のエンボスは長さ１０ｍｍ以上、４０ｍｍ以下、幅1ｍｍ以上、３ｍｍ以下のの緩やかな溝及び/又は隆起した曲線の組合せ集合体であり、この組合せ集合体を構成する緩やかな曲線間の相互間隔が１ｍｍ以上、５ｍｍ以下である。
また、表面材と吸収体の間には、不織布からなる二次シートを有しており、表面材と二次シートとは、流れ模様のエンボスにより接合されている。
さらに、吸収体にも流れ模様のエンボスを備えている。
【００１０】
また、流れ模様のエンボスの少なくとも一端に表面シートを貫通する開口が施されている。
【発明の効果】
【００１１】
この発明によれば、表面材に流れ模様のエンボスを施すことで、表面材の風合いを改善し、目付けの高い不織布を用いた場合でも、クッション性を保持すると同時に、着用時において特に巾方向の吸収体の変形に応じて、個々の流れ模様エンボスが夫々変形に追随することにより大きなシワが生じ難い。特に軽失禁ライナーなどの５ｍｍ未満の薄型の吸収体においては、吸収体全体に柔軟性としなやかさを付与することができ、身体の動きに合せた自在な変形に優れたものが得られる。また、肌との密着を適度に低減することにより皮膚刺激性を改善することが可能となる。表面材の肌側表面から見てエンボスが溝の場合には、排泄物の拡散において、長手方向に延びるエンボスが前後へ拡散を促す。また隆起の場合には、肌との接触面積を低減させることにより濡れ戻りを防止し、皮膚刺激を抑える効果を有する。
特に軽失禁パッドや失禁パッド、テープ止め紙おむつ、パンツタイプなどの５ｍｍ以上の厚さの吸収体においては、表面材だけではなく、表面材と二次シート、さらには、吸収体を併せてエンボス加工を施すことにより液の吸収性が改善される。更には、立体ギャザーを形成するサイドシートにも、同様のエンボスを施しても良いが、吸収体本体の周縁部、すなわち前後フラップ及びサイドフラップについては、排泄物を誘導しないようにエンボスを施さないか、あるいはエンボス深さとエンボス密度を本体部分より浅め、あるいは密度を低くすることが好ましい。
【００１２】
夫々のエンボスは、同長、同幅である必要はなく、また形状については同一方向に配列していれば良い。流れ模様の不規則性により、従来のエンボスパターンによる特定間隔での変形や皺の発生を抑えることができる。また、流れ模様の端部に開口を有することで、エンボスに沿って移動した液の吸収体方向への透過性にも寄与する。また、従来の規則的なパターンでは得られない外観と柔軟性としなやかさと自在性を使用者にもたらすこともできる。
【図面の簡単な説明】
【００１３】
【図１】本発明の実施形態に係る軽失禁パッドの外観を示す平面図である。
【図２】図１に示した吸収性本体の長手方向にのみ沿う流れ模様エンボスの一例を示す図である。
【図３】本発明の実施形態の軽失禁パッドの構造を示す断面図である。
【図４】図１のＸ−Ｘ断面の一部を示す断面斜視図である。
【図５】吸収性物品の別例での断面図である。
【図６】流れ模様エンボスを形成するためのエンボスロールの表面を示す図である。
【発明を実施するための形態】
【００１４】
以下、本発明の実施形態に係る吸収性物品について図面と共に説明する。これらは例示目的で記載するもので、これらにより本発明を限定するものではない。
本発明の実施形態に係る吸収性物品では、表面材４に吸収性本体の長手方向に沿って流れ模様のエンボスが備えられてなる。ここで、流れ模様とは、全体として一方向に沿う曲線により形成されるもので、蛇行方向に緩やかでかつ、不規則な揺らぎをもたせたものである。図1は、軽失禁パッドの肌当接面側の平面図である。表面材４は、液透過性で、使用者の皮膚に接するため、感触が柔らかで、皮膚に刺激を与えない不織布から形成されている。不織布は、エアースルータイプで、目付けは２０ｇ/ｍ2から４０ｇ/ｍ2が好ましい。図２は、表面材上に形成される流れ模様エンボス１００を示す図である。流れ模様エンボス１００は、長さ（Ｌ）は１０〜４０ｍｍ、幅は1ｍｍ〜３ｍｍの緩やかな曲線からなるエンボスの集合体である。長さと幅がこの範囲を超えると個々のエンボス部の剛性が高くなり、変形容易性が損なわれ、皮膚刺激からも好ましくない。この組合せ集合体を構成する緩やかな隣接する曲線の相互間隔（Ｄ）は１ｍｍ以上、５ｍｍ以下とすることにより、液の拡散や皺の発生において各エンボス相互の作用を分断する作用が働く。５ｍｍ以上では柔軟性やしなやかさが得られない。流れエンボスの密度については、吸収性物品の長手方向と直交する幅方向に設けた長さ２５ｍｍの仮想線と流れ模様のエンボスとの交差数が５から１２であることが好ましい。二次シート５は、液の透過と拡散を促すために表面材に比べて平均繊維間距離が小さいものを使用するとよい。
【００１５】
図３は、軽失禁パッドの断面図である。ここで、吸収体２は、木材パルプフラッフのような、フラッフのウェブの親水性繊維マトリックスを、公知の高吸水性樹脂（ＳＡＰ）の粒子と混合して形成する。ここで木材パルプフラッフとしては、サウザンパインやダグラスファーなどのＮ−ＢＫＰが好適に使用される。機械的な解繊が容易なように薬剤処理したものを用いてもよい。フラッフには、木材パルプフラッフの代わりに合成繊維、ポリマー繊維、連続気泡を有する発泡体などを使用してもよい。バックシート６は、吸収体２内において保持している液体などが下着に漏れないような防水性を有する液不透過性の材料から形成されていればよく、ポリエチレンフィルムなどの薄いプラスチックフィルムとすることができるが、着用中にカサカサした音がしやすく、柔らかさを付与するように、マイクロエンボスを施したり、更に外側に不織布を貼合わせたクロスライクバックシートを用いることもできる。その他に、ポリプロピレン製のスパンボンド不織布や、スパンボンド不織布とメルトブローン不織布との積層物などを撥水性の不織布から形成されるサイドシート８を形成してもよい。図４は、表面材に流れ模様
エンボス１００を施した断面斜視図である。流れ模様エンボスの長手方向一端に開口を有している。図示は肌側表面からみて溝であるが、隆起でもよく、併用してもよい。また、図５は、流れ模様エンボス１００を吸収体におよび施した断面図である。表面材４と二次シート５また、二次シート５と吸収体２とは流れ模様エンボス加工時に熱により接合されている。
【００１６】
図６は、エンボスロール表面部分の形状を示す斜視図である。本発明の流れ模様エンボスは、吸収性物品の製造工程で表面材にエンボス加工を施すためのエンボス用ロール３００において、ロールの表面にその円周方向に沿って流れ模様を備えたエンボスを付与するための突条３１０を形成した金属製エンボスロールと弾性ロール間でエンボス処理することにより施すことができる。突条３１０は見かけ長さ１０ｍｍ以上、４０ｍｍ以下の緩やかな曲線状であり、夫々の突條端同士の間隔は１ｍｍ以上離間していることが好ましい。突条３１０の高さは、１〜１０ｍｍが好ましい。エンボスの深さは、突条３１０の高さとロールのプレス圧により適宜調整することができる。エンボス形状の形成と保形性のためにエンボス用突条３１０の頂面や側面に滑り止めとなる微細な突起あるいは溝を設けることも好ましい。また、突条３１０の頂面の幅や高さをその長手方向に沿って変化させてもよい。エンボスロールは加熱装置を備えており、
シート同士の接合や、エンボス形状の保形性に寄与する。溝と隆起を設ける場合には、エンボスロールを表裏に設ける。
【００１７】
本願実施例１においては、エアールスータイプ不織布（目付３０ｇ／ｍ２、PE,PP製）の表面材と、同じくエアールスータイプ不織布（目付３５ｇ／ｍ２、PE,PP製）の二次シートに長さ５０ｍｍ以下の流れ模様からなる溝状エンボスを各エンボスの距離を１ｍｍ以上離間させた表面積層体を使用した。吸収体には、Ｎ−ＢＫＰからなる木材フラッフと高吸収性ポリマーを混合させて、湿潤強度を有する衛生紙にて包んだ吸収体(厚さ６ｍｍ)を使用し、着用時に吸収体を身体形状に応じて吸収性物品を変形させ易いように左右一対の溝状エンボス（フィットエンボス１１０）を設けた。更に、バックシートには、２０μｍのポリエチレンフィルムに不織布をラミネートしたバックシート６を使用した。これらより軽失禁パッドを作製した。
【００１８】
本願実施例２においては、実施例1と同一の部材を用意し、表面材と二次シートからなる表面積層体の肌接触面側表面に流れ模様の隆起を設けた軽失禁パッドを作製した。
【００１９】
本願実施例３においては、実施例１の構成に加え、吸収体にも、流れ模様のエンボス（長さ４０ｍｍ、相互間隔４ｍｍ以上、深さは吸収体の厚さの５０％）を施した。また、比較例として、流れ模様を施さない軽失禁パッドを作製して吸収速度、ウエットバック（濡れ戻り、Ｗ．Ｂ．）試験とモニター４名による装着テストを行った。結果を表１に示す。  実施例は何れも、比較例に比べて吸収速度、ウエットバック、装着テスト共に良好な結果が得られた。また、人手によって着用時を模して幅方向の圧縮したところ、比較例では、表面材に大きなシワの発生（吸収性物品の全長の１／３以上の長さ）が認められたが、実施例では何れもシワの発生が押さえられていることが認められた。
【００２０】
＜評価＞
吸収速度は、各吸収性物品を水平な状態に伸ばして固定し、吸水速度測定治具(中空の円筒で内径３０ｍｍ、外径８０ｍｍ、重量２ｋｇ)を吸収性物品の中央に載せ、１０ｍｌの試験液を測定治具の筒内に注入し、注入開始から完全に吸収するまでの時間を計測した。試験液は、人工尿として生理食塩水（３６±３℃）を用いた。
【００２１】
ウェットバック（Ｗ．Ｂ．）は、吸収性物品を水平な状態に伸ばして固定し、所定量の試験液を吸収性物品の中央に注ぎ、１０分放置後にろ紙と錘を吸収性物品上に載せ、1分経過後のろ紙の重量増加量を測定した。ろ紙はADVANTEC 社製の＃２（直径５５ｍｍ）を１０枚重ねたものを用いた。試験液は、生理食塩水（３６±３℃）を使用した。
【００２２】
【表１】
2013128668.tif 000003
【符号の説明】
【００２３】
２      吸収体
４      表面材
５      二次シート
６      バックシート
８      サイドシート
１０    吸収本体部
１００  流れ模様エンボス    
１１０  フィットエンボス
３００  エンボス用ロール
３１０  突条
４１０  開口        
【図１】
2013128668.tif 000004
【図２】
2013128668.tif 000005
【図３】
2013128668.tif 000006
【図４】
2013128668.tif 000007
【図５】
2013128668.tif 000008
【図６】
2013128668.tif 000009